(57)【特許請求の範囲】
【請求項１】
載置物体を載置可能な載置台と、
前記載置台上に、スキャナ主走査方向又はスキャナ副走査方向に移動自在に配設されて、前記載置物体の端部間の長さが測定・算出される測定位置を指定する測定位置指定手段と、
該位置指定手段を前記スキャナ主走査方向又はスキャナ副走査方向に指定する位置まで移動制御する測定位置制御手段と、
前記測定位置制御手段により移動制御された前記測定位置指定手段が存在する位置を前記スキャナにより読み取ることにより、前記載置物体の端部間の長さが測定・算出されるべき任意の測定位置を自動的に認識する認識手段と、
前記認識手段が認識した前記測定位置をスキャンして読みとったスキャン画像データに基づいて、該スキャン画像データを構成する画素数を演算することにより、前記載置物体の端部間の長さを測定・算出する測定算出手段と、
前記測定・算出した長さを表示する表示手段と、
を備えることを特徴とする画像形成装置。
【発明の詳細な説明】
【０００１】
【発明の属する技術分野】
画像形成装置に関し、特に、スキャナにより読み取った載置物体の端部間の長さの測定を可能とする画像形成装置に関する。
本発明に係る画像形成装置は、複写機，カラー複写機，プリンタ，ファックス等にも適用することが可能である。
【０００２】
【従来の技術】
近時、画像形成装置に関しては、種々の画像編集機能が付与されてくるようになっている。
【０００３】
【発明が解決しようとする課題】
しかしながら、画像形成装置に載置された載置物体や、あるいは、載置原稿にある画像イメージのサイズを自動的に測定・算出するような機能を有しているものは存在していない状況にある。たとえば、特開平７−９３５２２号公報「画像情報処理装置」において開示されている技術は、スキャナから読み取った画像を、一旦、ＣＲＴ等の表示画面に表示させて、ユーザが、該表示画面に対して、改めて測定すべき２点の位置を指定することにより、指定された２点間における距離を、その間に存在している画素数に応じて算出させようとするものである。
【０００４】
即ち、載置された原稿の画像イメージを一旦表示装置に表示させない限り、原稿にある画像の長さ（即ち、画像の２点間の距離）を測定することは不可能であり、更には、表示された画像イメージに対して、ユーザが測定すべき長さ測定位置を指定することが必要であり、ユーザの操作を多く必要とするものである。
更には、表示されている画像イメージとは別個に算出された２点間の距離が出力されるため、直感的に、出力される距離と画像イメージの２点の位置との関連が把握しにくくなる場合も存在している。
【０００５】
更には、画像の長さ（距離）の測定として、画像の大きさ即ち画像サイズを測定する際における重要な測定項目の一つである載置原稿における最大のサイズとなる個所を正確に自動的に抽出して、該最大のサイズを算出する手段も提供されていなく、かかる場合であっても、人間の判断に頼らざるを得ず、正確な最大サイズを測定することは不可能であった。
而して、従来の技術においては、載置された載置原稿の画像や載置物体の端部間の長さを、自動的に、かつ、正確に、かつ、簡便に、測定して表示させることができない問題があった。
【０００６】
本発明は、かかる問題に鑑みてなされたものであり、画像形成装置の載置台に載置された載置物体（即ち、被測定載置物体）の端部間の長さ（即ち、サイズ）に関し、あらかじめ指定されている測定位置、あるいは、長さ（即ち、サイズ）が最長となる測定位置における、長さ（即ち、サイズ）を、自動的に、かつ、正確に、測定・算出して、長さ（サイズ）の測定位置と共に、表示させんとするものであり、詳細には、以下のごとき、目的を有しているものである。
【０００７】
本発明における第１の目的は、画像形成装置のスキャナから読み取った被測定載置物体のスキャン画像データを用いることにより、該被測定載置物体の端部間の長さを、自動的に、かつ、容易に測定・算出することができ、かつ、測定結果として、該長さを表示させることができることにある。
【０００８】
本発明における第２の目的は、前記測定結果である前記長さのみを表示するのではなく、読み取った被測定載置物体のスキャン画像データと該被測定載置物体の端部間の長さを測定する測定位置である該端部の位置と測定結果である前記長さとを、一つの画像として画像合成して、紙に印刷出力したり、及び／又は、表示装置に表示したりすることにある。
【０００９】
本発明における第３の目的は、被測定載置物体の端部間の長さ測定位置を任意に指定可能とすることにより、被測定載置物体の所望の測定位置における長さを測定可能とすることにある。
【００１０】
本発明における第４の目的は、被測定載置物体の長さ測定位置として、被測定載置物体の端部間の長さが、正確に最長となる測定位置を抽出することにある。
【００１３】
【課題を解決するための手段】
請求項１に記載の発明は、載置物体を載置可能な載置台と、前記載置台上に、スキャナ主走査方向又はスキャナ副走査方向に移動自在に配設されて、前記載置物体の端部間の長さが測定・算出される測定位置を指定する測定位置指定手段と、該位置指定手段を前記スキャナ主走査方向又はスキャナ副走査方向に指定する位置まで移動制御する測定位置制御手段と、前記測定位置制御手段により移動制御された前記測定位置指定手段が存在する位置を前記スキャナにより読み取ることにより、前記載置物体の端部間の長さが測定・算出されるべき任意の測定位置を自動的に認識する認識手段と、前記認識手段が認識した前記測定位置をスキャンして読みとったスキャン画像データに基づいて、該スキャン画像データを構成する画素数を演算することにより、前記載置物体の端部間の長さを測定・算出する測定算出手段と、前記測定・算出した長さを表示する表示手段と、を備えることを特徴とする。
【００１５】
【発明の実施の形態】
本発明に係る画像形成装置に関する一実施形態について、以下に図面を参照しながら説明する。
図１は、本発明に係る画像形成装置のブロック構成の一例を示すブロック構成図であり、載置台に載置されている載置物体をスキャナ部により読み取ったスキャン画像データに基づいて、被測定載置物体の任意の端部間の長さを測定可能としている例を示すものである。
【００１６】
図１において、１０は、スキャナ部１７にある載置台に載置された被測定載置物体（端部間の長さを測定する対象の載置物体で、かつ、画像として扱われることが可能な載置物体）を、スキャン画像データとして、読み取るための画像形成装置（例えば、デジタル複写機）である。スキャナ部１７に備えられたＣＣＤによりスキャンして読み取られた被測定載置物体のスキャン画像データは、画像形成装置１０本体内部にあるメイン制御部１１に転送され、メイン制御部１１にて、前記被測定載置物体の任意の端部間の長さが割り出されることになる。
【００１７】
また、１２は、スキャナ部１７の上部にあり、被測定載置物体を抑えるための圧板又は自動原稿給紙装置である。但し、厚みのある被測定載置物体の端部間の長さを測定・算出する長さ測定モードの際には、圧板又は自動原稿給紙装置１２は、スキャナ部１７にある載置台に載置した該被測定載置物体を圧着せずに、開けたままの状態で使用する。一方、被測定載置物体が薄く、圧板又は自動原稿給紙装置１２を閉じて、スキャナ部１７にある載置台に載置した該被測定載置物体に圧着しても支障のない場合においては、被測定載置物体の端部間の長さを測定・算出する長さ測定モードであっても、圧板又は自動原稿給紙装置１２を閉じて使用することとしている。
【００１８】
また、操作部１３に備えられたキー選択により、被測定載置物体の端部間の長さを測定・算出するための長さ測定モードに設定したり、通常の画像原稿読み取りモード（即ち、コピーモード）に設定したり、当該画像形成装置の動作モードを任意に切り替えることができる。
【００１９】
１５は、メモリ装置であり、スキャナ部１７において読み取られて、メイン制御部１１に転送されてきたスキャン画像データを蓄積することができ、必要に応じて、メイン制御部１１により読み出されて、該スキャン画像データを紙に印刷出力することが可能である。
即ち、スキャナ部１７により読み取られたスキャン画像データは、メイン制御部１１から書き込み部１４に書き込まれることにより、紙に印刷出力することができる。
また、１６は、被測定載置物体の端部間の長さを測定・算出する端部の位置である長さ測定位置を、任意の位置に、ユーザが指定する操作を行うことができる測定位置指定装置である。
【００２０】
図２及び図３は、図１に示す測定位置指定装置１６の構造図であり、図２は、測定位置指定装置の側面図を示し、図３は、測定位置指定装置の平面図を示している。
図２及び図３において、２０は、被測定載置物体を照明するためのランプであり、キャリッジ２１に装着されていて、レール２２上を、図２及び図３の紙面の左右方向に移動して、コンタクトガラス２３上に載置されている被測定載置物体２４のスキャニングを行なう。
【００２１】
また、測定位置指定センサ２５を図３の矢印方向（即ち、図３の紙面の上下方向。図２においては、紙面と垂直な方向）にスライドさせることにより、被測定載置物体の端部間の長さ測定位置を指定することができ、測定位置指定センサ２５上を、ランプ２０が装着されているキャリッジ２１が移動した際に、該長さ測定位置を認識することが可能である。
【００２２】
即ち、測定位置指定センサ２５は、被測定載置物体の端部間の長さを測定する端部の測定位置を指定するための測定位置指定手段を提供するものであり、画像形成装置１０の載置台の上をスキャナ主走査方向に移動自在に配設されており、後述する測定位置指定ユニット（即ち、測定位置制御手段）により移動制御され、該測定位置指定ユニットにより指定される位置に移動せしめらめるものである。
而して、スキャナ部１７のランプ２０が装着されているキャリッジ２１が、該測定位置指定センサ２５が存在している位置を通過した際に、該測定位置指定センサ２５の主走査方向における移動位置が読み取られることにより、被測定載置物体の端部の主走査方向における同一の位置が、端部間の長さが測定・算出されるべき端部の長さ測定位置として、自動的に認識され、被測定載置物体の端部間の長さ測定位置を特定させることができる。
【００２３】
なお、測定位置指定センサ２５のスライド方向としては、図３の紙面の上下方向ではなく、図３の紙面の左右方向（即ち、レール２２と同一方向）に、スライドさせるようにしても、もちろん構わない。
しかしながら、以下の説明においては、説明を簡素化して理解し易くするために、前述のごとく、測定位置指定センサ２５は、図３の紙面の上下方向（即ち、スキャナ主走査方向）にスライドする場合について説明する。
【００２４】
図２及び図３において、破線２６は、測定位置指定センサ２５により指定された該長さ測定位置を示している。即ち、測定位置指定センサ２５からキャリッジ２１の移動方向と同じ方向へ延長された直線における被測定載置物体２４の端部の位置が、当該被測定載置物体２４の長さ測定位置となる。
なお、測定位置指定センサ２５は、画像形成装置１０とは着脱可能な構造からなり、被測定載置物体の端部の長さを測定・算出するための長さ測定モードとする動作モードに設定していない場合などにおいては、画像形成装置１０から容易に取り外し可能である。
【００２５】
図４は、画像形成装置１０内における信号の流れを表す回路ブロックの模式図である。図４において、太線の矢印は、被測定載置物体内を流れるスキャン画像データの流れを示し、細線は、各回路ブロック間の制御信号の流れを示している。
被測定載置物体の端部間の長さを測定・算出するための長さ測定モードに設定する場合は、操作部１３に備えられている所定の選択キー１３ａが操作されることにより、長さ測定モード設定用のコマンドが操作部１３からメイン制御部１１へ制御信号として送出されて、当該画像形成装置の動作モードが長さ測定モードへと切り替えられる。
【００２６】
また、メイン制御部１１においては、圧板又は自動原稿給紙装置２４の開閉を確認し、該圧板又は自動原稿給紙装置２４の開閉状態に応じたデータ演算処理を行なうこととなる。
【００２７】
測定位置指定ユニット４１は、図２及び図３に示す測定位置指定センサ２５の主走査方向における位置を、ユーザが指定する位置に移動制御するための測定位置制御手段を提供するものであり、該測定位置指定ユニット４１からのスキャナ部１７に対する制御信号による指示に基づいて、スキャナ部１７における測定位置指定装置１６として、載置台上に備えられている前記測定位置指定センサ（図２及び図３における測定位置指定センサ２５）の位置が移動制御されて、前記測定位置指定センサは図３に示す上下方向に移動せしめられ、被測定載置物体の端部間の長さを測定・算出する長さ測定位置が所望の位置に設定されると共に、前記測定位置指定センサの位置を検出して、スキャナ部１７から、該長さ測定位置を示す長さ測定位置情報が、メイン制御部１１へ、制御信号として転送される。
【００２８】
更に、スキャナ部１７に備えられているＣＣＤ制御板（図示されていない）により、被測定載置物体のスキャン画像データがメイン制御部１１へ転送される。
【００２９】
長さ測定位置情報として指定されている測定位置における被測定載置物体の端部間の長さ（距離）は、メイン制御部１１において、ＣＣＤ制御板から転送されてきた被測定載置物体のスキャン画像データである画素データに基づいて、注目画素と該注目画素の周囲画素データとを用いることにより算出される。即ち、該注目画素と該周辺画素に関する画素データに関して、被測定載置物体の端部間の長さを測定する距離データとして必要な画素か否か（即ち、長さ測定位置における被測定載置物体を構成する画素か否か）の判別がなされて、被測定載置物体の端部間の長さが、距離データとして必要と判別された画素数を演算計数していくことにより算出される。
算出された被測定載置物体の端部間の長さ（距離）は、操作部１３上に備えられている操作パネルに表示されると共に、書き込み部１４を介して、紙に印刷出力される。
【００３０】
ここで、被測定載置物体の端部間の長さ（距離）を紙に印刷出力する際には、測定・算出された該長さ（距離）のみでなく、被測定載置物体のスキャン画像データの画像情報と該被測定載置物体の端部間の長さ（距離）が測定・算出された測定位置を示す画像情報と、測定・算出された被測定載置物体の端部間の長さ（距離）を示す画像情報とを、一つの画像情報として画像合成させて、紙に印刷出力させることも可能である。
【００３１】
なお、測定位置指定ユニット４１からの指示による長さ測定位置の指定がない場合においては、スキャナ副走査方向における被測定載置物体の両最端部（即ち、前記キャリッジ２１の移動時に、前記キャリッジ２１が最初に被測定載置物体と交差する端部と被測定載置物体との交差から抜け出す最後の端部）が検出され、更に、両最端部のうち、端部間の長さが最長の長さ（距離）となる端部の位置が、測定・算出されるべき端部間の長さ測定位置であるとして検出される。
【００３２】
而して、前述のごとく、被測定載置物体のスキャン画像データに基づいて、イメージ画像が作成され、更に、該最長の長さとなる端部の位置を示す画像と、該端部間の最長の長さを示す画像とが、画像合成されて、一つの画像として、操作部１３上に備えられている操作パネルに表示されると共に、書き込み部１４を介して、紙に印刷出力される。
【００３３】
図５は、被測定載置物体の端部間の長さ（距離）測定結果と被測定載置物体のイメージとを一つの画像に画像合成して、紙に印刷出力した場合の被測定載置物体の測定イメージ図である。
５１は、画像を印刷出力する出力用紙であり、出力用紙５１上に被測定載置物体のスキャン画像データ５２と共に、該被測定載置物体の端部間の長さを測定・算出した長さ測定位置と該長さ測定位置における測定・算出された長さ（距離）とが、寸法５３として、画像合成されて描かれている。ここに、直線状の破線２６は、図２及び図３に示す被測定載置物体の長さ測定位置を示すための線である。
【００３４】
図６は、被測定載置物体の測定位置における長さ（距離）計算方法を説明するための画素構成図である。
測定位置指定ユニット４１からの指示による長さ測定位置の指定がある場合は、指定された長さ測定位置として、測定位置指定センサ２５が出力している位置に対応するスキャナ主走査位置において、スキャナ副走査方向に被測定載置物体のスキャン画像データである画素データの有無を逐次チェックして、画素データありの画素数を計数することにより、指定された長さ測定位置における被測定載置物体の端部間の長さ（距離）を算出することができる。
【００３５】
一方、測定位置指定ユニット４１からの指示による長さ測定位置の指定がない場合、図６に示すように、ある注目画素における周囲画素を比べることにより、スキャナ副走査方向における被測定載置物体(図６においては、ハッチングにて表示されている)の両最端部が抽出される。即ち、図６においては、スキャナ副走査方向であるＹ軸方向において原点に最も近い位置にある被測定載置物体の最近端部を示す画素ａと、原点から最も遠い位置にある被測定載置物体の最遠端部を示す画素ｂ及び画素ｃとが抽出される。
【００３６】
更に、被測定載置物体の最近端部あるいは最遠端部を示す画素が複数個存在している場合は、最近端部を示す画素と最遠端部を示す画素との間のスキャナ主走査方向における距離が最も離れている画素が抽出される。即ち、図６においては、被測定載置物体の最遠端部を示す画素として、画素ｂと画素ｃとの２個の画素が存在しているが、最近端部を示す画素ａとのスキャナ主走査方向における距離は、画素ｂの方が画素ｃよりも離れているので、画素ｂが抽出される。
【００３７】
而して、主走査方向をＸ軸とし、副走査方向をＹ軸としたＸ−Ｙ座標により、抽出した両最端部間の長さ（距離）（図６においては、被測定載置物体の最近端部を示す画素ａと被測定載置物体の最遠端部を示す画素ｂとの間を結ぶ直線である太線ｌの長さ）を算出する。
図６において、太線ｌで示された距離は、
（42+82）1/2×（1画素の大きさ）=801/2×（1画素の大きさ）
として与えられる。
ここに、１画素の大きさは、当該画像形成装置のスキャナ部１７に使用されるＣＣＤにより、自動的に決定される。
【００３８】
なお、かかる長さ（距離）計算方法を採用する場合においては、被測定載置物体の端部間における最長の長さ（距離）を測定する場合、被測定載置物体の端部間の長さ（距離）が最長となる位置がほぼスキャナ副走査方向となるように、画像形成装置のスキャナ部１７上の載置台に被測定載置物体を載置させることが必要である。
【００３９】
而して、前記スキャン画像データに基づいて、自動的に前述のごとき処理が施されることにより、前記被測定載置物体の端部間の長さ（距離）が最長となる位置が、自動的に、かつ、正確に求められ、ユーザに表示することが可能となる。
【００４０】
また、前述の説明においては、被測定載置物体の端部間の長さ（距離）が最長となる位置がほぼスキャナ副走査方向となるように、載置台に被測定載置物体を載置させる場合を示しているが、本発明は、かかる場合に限るものではない。即ち、被測定載置物体の端部間の長さ（距離）が最長となる位置が、９０度回転したスキャナ主走査方向に、ほぼ配置されるように載置させることとした場合においても、前述した動作について、スキャナ副走査方向及び主走査方向をスキャナ主走査方向及び副走査方向と読み替えることにより、全く同様の方法で、正確に、最長となる位置を求めることが可能である。
【００４１】
また、本発明に係る画像形成装置として適用されるデジタル複写機やファックス装置などの通常の動作は、公知のものであり、かつ、本発明に直接関わらないので、ここでの説明は省略している。
【００４２】
次に、本発明に係る画像形成装置の動作について、図７に示す動作フローチャートに基づいて、図１乃至図４を参照しながら詳細に説明する。
当該画像形成装置の載置台に載置させた載置物体の端部間の長さ（即ち、サイズ）を被測定載置物体として測定せんとする場合、図４に示す操作部１３の選択キー１３ａの操作により、まず、被測定載置物体の端部間の長さ測定モードに設定する（ステップＳ１）。
【００４３】
なお、ここで、被測定載置物体の最長の長さを測定したい場合においては、まず、該被測定載置物体の端部間の長さが最長となる位置を画像形成装置のスキャナ副走査方向にほぼ位置するように載置させる例について示している。
【００４４】
次いで、被測定載置物体の端部間の長さ測定位置の指定が、測定位置指定ユニット４１によりなされているか否かを確認する（ステップＳ２）。
長さ測定位置の指定がある場合は（ステップＳ２のＹＥＳ）、図４に示す測定位置指定ユニット４１により指定されている位置まで、図３に示す測定位置指定センサ２５を移動させた後（ステップＳ３）、図４に示す操作部１３のスキャン開始キー（図示していない）を押下させることにより、スキャン動作を開始させる（ステップＳ４）。
【００４５】
スキャン動作が終了した際に、長さ測定位置を示す測定位置指定センサ２５の出力スキャン結果と被測定載置物体のスキャン画像データとが、図４に示すスキャナ部１７よりメイン制御部１１に送出されることにより、メイン制御部１１は、測定位置指定センサ２５の出力スキャン結果が示している指定された長さ測定位置における被測定載置物体の端部間の長さ（距離）の演算を行なう（ステップＳ５）。即ち、メイン制御部１１は、前述のごとく、指定された長さ測定位置における被測定載置物体の端部間に介在する画素データの有無をチェックして、画素データありの画素数を計数する演算を行なう。
【００４６】
演算された長さ測定結果は図４に示す操作部１３の操作パネル上に表示される（ステップＳ６）。更に、操作部１３の操作パネルの操作キー（図示していない）による紙への印刷出力の指示があるかを確認し（ステップＳ７）、紙への印刷出力が指定されていない場合は（ステップＳ７のＮＯ）、長さ測定動作を終了する。
【００４７】
一方、紙への印刷出力が指定されている場合は（ステップＳ７のＹＥＳ）、被測定載置物体のスキャン画像データに、測定位置指定センサ２５のスキャン結果が示す長さ測定位置と前記演算により測定・算出された被測定載置物体の端部間の長さ測定結果とを、印刷画像として画像合成させる（ステップＳ８）。
画像合成された前記印刷画像は、図４に示す書き込み部１４へ転送され、書き込み部１４により、紙に印刷出力（即ち、書き込み出力）がなされ（ステップＳ９）、長さ測定動作を終了する。
【００４８】
また、ステップＳ２において、長さ測定位置の指定がなされていないと判定された場合は（ステップＳ２のＮＯ）、図４に示す測定位置指定ユニット４１による図３に示す測定位置指定センサ２５の起動制御は実施されずに、直ちに、図４に示す操作部１３のスキャン開始キー（図示していない）を押下させることにより、スキャン動作を開始させる（ステップＳ１０）。
【００４９】
次いで、図４に示すスキャナ部１７により読み取られた被測定載置物体のスキャン画像データに関して、図６に示すように、スキャナ副走査方向における被測定載置物体(図６においては、ハッチングにて表示されている)の両最端部が抽出され、抽出された該最端部間の長さ（距離）が算出されることにより、被測定載置物体において最長の長さとなる位置が正確に検出されると共に、該最長の長さとなる位置における長さ、即ち、最長長さ（最長距離）が正確に演算される（ステップＳ１１）。
【００５０】
演算された最長長さ（最長距離）測定結果は図４に示す操作部１３の操作パネル上に表示される（ステップＳ１２）。更に、操作部１３の操作パネルの操作キー（図示していない）による紙への印刷出力の指示があるかを確認し（ステップＳ１３）、紙への印刷出力が指定されていない場合は（ステップＳ１３のＮＯ）、長さ測定動作を終了する。
【００５１】
一方、紙への印刷出力が指定されている場合は（ステップＳ１３のＹＥＳ）、被測定載置物体のスキャン画像データに、被測定載置物体の両最端部間の長さとして検出された位置（即ち、最長長さ測定位置）と前記演算により測定・算出された被測定載置物体の両最端部間の最長長さ（最長距離）測定結果とを、印刷画像として画像合成させる（ステップＳ１４）。
画像合成された前記印刷画像は、図４に示す書き込み部１４へ転送され、書き込み部１４により、紙に印刷出力（即ち、書き込み出力）がなされ（ステップＳ１５）、長さ測定動作を終了する。
【００５２】
なお、前述の説明においては、被測定載置物体のスキャン画像データに、測定装置指定センサ２５により指定されている長さ測定位置、あるいは、被測定載置物体の両最端部間の長さとして検出された位置（即ち、最長長さ測定位置）と、前記演算により測定・算出された被測定載置物体の端部間の長さ、あるいは、両最端部間の最長長さ（最長距離）の測定結果とを、画像合成して、一つの画像として出力する場合において、紙へ印刷出力が指定されている場合に限るものとして例示しているが、本発明は、かかる場合に限るものではない。即ち、紙への印刷出力のみでなく、操作部１３の操作パネル（又は、表示パネル）上に、長さ（サイズ）情報のみではなく、同様の画像合成された画像を表示させることとしても、もちろん構わない。
【００５３】
以上のような構成及び動作制御によって、本発明に係る被測定載置物体の任意の位置における、あるいは、最長の長さを有する位置における被測定載置物体の端部間の長さを測定・算出し、表示したり、紙に印刷出力したりすることが可能となる。
【００５６】
【発明の効果】
（１）請求項１に対する作用効果
画像形成装置に、被測定載置物体の端部間の長さ測定位置を指定する測定位置指定手段（測定位置指定センサ）と測定位置制御手段（測定位置指定ユニット）とを備えさせることにより、被測定載置物体の端部間の測定位置が特定位置に限定されることなく、ユーザが、任意の測定位置を指定することが可能であり、ユーザの使い勝手の向上に資することができる。
【図面の簡単な説明】
【図１】  本発明に係る画像形成装置のブロック構成の一例を示すブロック構成図である。
【図２】  図１に示す測定位置指定装置の側面図である。
【図３】  図１に示す測定位置指定装置の平面図である。
【図４】  画像形成装置内における信号の流れを表す回路ブロックの模式図である。
【図５】  被測定載置物体の端部間の長さ（距離）測定結果と被測定載置物体のイメージとを一つの画像に画像合成して、紙に印刷出力した場合の被測定載置物体の測定イメージ図である。
【図６】  被測定載置物体の測定位置における長さ（距離）計算方法を説明するための画素構成図である。
【図７】  本発明に係る画像形成装置の動作について説明するための動作フローチャートである。
【符号の説明】
１０…画像形成装置、１１…メイン制御部、１２…圧板又は自動原稿給紙装置、１３…操作部、１３ａ…選択キー、１４…書き込み部、１５…メモリ装置、１６…測定位置指定装置、１７…スキャナ部、２０…ランプ、２１…キャリッジ、２２…レール、２３…コンタクトガラス、２４…被測定載置物体、２５…測定位置指定センサ、２６…被測定載置物体の長さ測定位置、４１…測定位置指定ユニット、５１…出力用紙、５２…スキャン画像データ、５３…寸法。
【図１】
0004245826.tif 000002
【図２】
0004245826.tif 000003
【図３】
0004245826.tif 000004
【図４】
0004245826.tif 000005
【図５】
0004245826.tif 000006
【図６】
0004245826.tif 000007
【図７】
0004245826.tif 000008